(57)【要約】【課題】取付時に扉を箱本体の蝶番の上に一時的に置いた場合にも、扉の側部の塗装が疵付くことのない電気電子機器収納用箱を提供する。【解決手段】箱本体１に蝶番３により扉２を取付けた電気電子機器収納用箱である。蝶番３のうち、取付板部７、立上げ部８、蝶番管部９を備える箱本体側蝶番金具５の取付板部７に、差し込み可能な扉保護部材１５を取付けた。扉保護部材１５は例えば樹脂製であり、扉２を箱本体側蝶番５の上に一時的に置いた場合にも、扉２の側部１２を保護することができる。【選択図】図２
2014212281.tif 000002
【特許請求の範囲】
【請求項１】
箱本体に蝶番により扉を取付けた電気電子機器収納用箱であって、前記蝶番のうち取付板部、立上げ部、蝶番管部を備える箱本体側蝶番金具の取付板部に、差し込み可能な扉保護部材を取付けたことを特徴とする電気電子機器収納用箱。
【請求項２】
前記取付板部の一部に、蝶番管部側に突出する段部を設け、この段部に前記扉保護部材を取付けたことを特徴とする請求項１記載の電気電子機器収納用箱。
【請求項３】
前記箱本体側蝶番金具の立上げ部とは反対側の開放側から、挟み込み形状とした扉保護部材を取付けたことを特徴とする請求項１記載の電気電子機器収納用箱。
【請求項４】
前記箱本体側蝶番金具の立上げ部とは反対側の開放側を、箱本体の外側に向けて取付けたことを特徴とする請求項３記載の電気電子機器収納用箱。
【発明の詳細な説明】
【技術分野】
【０００１】
本発明は、箱本体に蝶番により扉を取付けた電気電子機器収納用箱の改良に関するものである。
【背景技術】
【０００２】
配電盤、分電盤などに用いられる電気電子機器収納用箱の多くは、箱本体に蝶番により扉を取付けた構造を採用している。蝶番は箱本体側蝶番金具と扉側蝶番金具とからなり、双方の蝶番金具の蝶番管部に蝶番ピンを差し込むことによって連結している。特許文献１に示されるように、箱本体側蝶番金具は箱本体への取付板部と蝶番管部との間に立上げ部を備えている。
【０００３】
このような電気電子機器収納用箱は、その製造時、内部機器の取付時、扉への機器取付時などには扉と箱本体の蝶番を合せて蝶番ピンを差し込み、組み付けを行うものである。この作業を行う際に、重量の大きい扉を箱本体の蝶番取付部や蝶番の上に一時的に水平に置いたうえ、扉を持ち上げて蝶番ピンを差し込むことがある。このとき扉の重量が箱本体や蝶番との接触部に作用するため、扉の側部の塗装が疵付くことがあった。
【先行技術文献】
【特許文献】
【０００４】
【特許文献１】特開２００２−４７８５５号公報
【発明の概要】
【発明が解決しようとする課題】
【０００５】
従って本発明の目的は上記した従来の問題点を解決し、扉の取付時に扉を箱本体の蝶番の上に一時的に置いた場合にも、扉の側部の塗装が疵付くことのない電気電子機器収納用箱を提供することである。
【課題を解決するための手段】
【０００６】
上記の課題を解決するためになされた本発明は、箱本体に蝶番により扉を取付けた電気電子機器収納用箱であって、前記蝶番のうち取付板部、立上げ部、蝶番管部を備える箱本体側蝶番金具の取付板部に、差し込み可能な扉保護部材を取付けたことを特徴とするものである。
【０００７】
なお請求項２のように、取付板部の一部に蝶番管部側に突出する段部を設け、この段部に前記扉保護部材を取付けた構造とすることができる。また請求項３のように、前記箱本体側蝶番金具の立上げ部とは反対側の開放側から、挟み込み形状とした扉保護部材を取付けた構造とすることが好ましく、さらに請求項４のように、前記箱本体側蝶番金具の立上げ部とは反対側の開放側を、箱本体の外側に向けて取付けた構造とすることが好ましい。
【発明の効果】
【０００８】
本発明によれば、箱本体側蝶番金具の取付板部に差し込み可能な扉保護部材を取付けたので、扉の取付時に扉を箱本体の蝶番の上に一時的に置いた場合にも、扉の側部を疵付くことのないように保護することができる。また扉保護部材はワンタッチで取付けることができるので、取付けに手数を要しない。
【０００９】
請求項２の発明のように、取付板部の一部に蝶番管部側に突出する段部を設け、この段部に前記扉保護部材を取付ければ、扉保護部材の取付けが容易であるうえ、扉保護部材を取付板部のより高い位置に取付けることができるので、扉の保護効果を高めることができる。
【００１０】
請求項３の発明のように、箱本体側蝶番金具の立上げ部とは反対側の開放側から挟み込み形状とした扉保護部材を取付けた構造とすれば、扉保護部材の取付け作業性をより向上させることができる。
【００１１】
請求項４の発明のように、箱本体側蝶番金具の立上げ部とは反対側の開放側を箱本体の外側に向けて取付けた構造とすれば、扉を開放側に傾けたときに扉から受ける荷重の方向が扉保護部材の差し込み方向となるので、外れるおそれがない。
【図面の簡単な説明】
【００１２】
【図１】電気電子機器収納用箱の全体斜視図である。
【図２】第１の実施形態の箱本体側蝶番の斜視図である。
【図３】第１の実施形態の箱本体側蝶番の斜視図である。
【図４】蝶番部分の断面図である。
【図５】箱本体側蝶番の断面拡大図である。
【図６】第２の実施形態の箱本体側蝶番の断面図である。
【図７】扉を載せた状態の断面図である。
【図８】蝶番ピンを挿入した状態の断面図である。
【図９】第３の実施形態を示す斜視図である。
【発明を実施するための形態】
【００１３】
以下に本発明の実施形態を説明する。
図１は実施形態の電気電子機器収納用箱の全体斜視図であり、１は箱本体、２はこの箱本体１に蝶番３によって開閉自在に取付けられた扉である。本実施形態の電気電子機器収納用箱は屋内仕様であるため、箱本体１の開口部の周囲には開口端面から１段下がった枠部４が形成されており、この枠部４に扉２が取り付けられている。扉２は閉じた状態では、その表面が枠部４の表面と面一となるように、枠部４の内部に収まる形状寸法となっている。
【００１４】
図１に示すように、蝶番３は箱本体側蝶番金具５と扉側蝶番金具６とからなる。この実施形態ではこれらは何れも板材を折り曲げて形成したものであるが、鋳造により形成したものであってもよい。
【００１５】
箱本体側蝶番金具５は図２から図５に示すように、取付板部７、立上げ部８、蝶番管部９を備えている。取付板部７は箱本体１の枠部４にねじで固定される部分であり、取付用のねじ孔１０が形成されている。立上げ部８は取付板部７の端部から箱本体１の表面側に向かって立ち上がるように湾曲形成された部分であり、その先端は斜めに折り曲げたうえで蝶番管部９が形成されている。蝶番管部９は蝶番ピン１１が差し込まれる管状又は孔状の部分である。
【００１６】
箱本体側蝶番金具５は、その立上げ部８とは反対側の開放側を箱本体１の外側に向けて取付けられる。また扉側蝶番金具６も対応する蝶番管部を備えるものであり、扉側蝶番金具６は溶接により扉２の折り曲げられた側部１２に取付けられている。
【００１７】
図２に示すように、第１の実施形態では、箱本体側蝶番金具５の取付板部７の中央部分に、蝶番管部９側に向かって突出する段部１３が形成されている。この段部１３は取付板部７の、立上げ部８とは反対側の開放側に位置する端面１４から立上げ部８に向かって一定幅で延びている。そしてこの段部１３に、開放側の端面１４から差し込み可能な扉保護部材１５が差し込まれている。この扉保護部材１５は断面がコの字状の樹脂製部材であり、図３、図４のように下面先端のフック１６を段部１３の孔１７に係合させて取付けられている。扉保護部材１５は開放側の端面１４から差し込むだけで、ワンタッチで取付け可能である。なお扉保護部材１５は必ずしも樹脂製である必要はなく、ゴム製であっても差し支えない。
【００１８】
上記した第１の実施形態では、扉保護部材１５を取付板部７の段部１３に取付けたが、図６に示す第２の実施形態のように、取付板部７を平板状としたまま扉保護部材１５を取付けることもできる。
【００１９】
このように箱本体側蝶番金具５の取付板部７に扉保護部材１５を取付けたので、扉２の取付時に図７に示すように扉２を箱本体１の蝶番３の上に一時的に置いた場合にも、扉２の側部１２は扉保護部材１５によって支持されることとなり、扉２の側部１２を疵付くことのないように保護することができる。特に第１の実施形態では、段部１３に扉保護部材１５を差し込んだので、位置がずれることがなく、強固な取付けが可能である。また扉保護部材１５の上面を取付板部７の上面から十分に高くすることができるので、扉２の保護効果に優れ、蝶番を鋳造により形成しなくても板材を折り曲げて形成したものであっても対応できる利点がある。
【００２０】
また、扉保護部材１５を開放側の端面１４から差し込む構造としたことにより、扉２を開放側に傾けたときに扉保護部材１５が扉２の側部１２から受ける横方向の荷重の方向と、扉保護部材１５の差し込み方向とが一致するので、扉保護部材１５が外れるおそれがない。なお図８は図７の状態から扉２を持ち上げて扉側蝶番金具６の蝶番管部９を箱本体側蝶番金具５の蝶番管部９と一致させ、蝶番ピン１１を挿入した状態を示す。
【００２１】
上記した第１及び第２の実施形態では、扉保護部材１５を取付板部７の端面１４から差し込んだが、図９に示す第３の実施形態のように、取付板部７に取付け孔１８を形成し、取付板部７の表面に対して垂直方向（上方）から扉保護部材１５を差し込むこともできる。この場合には扉保護部材１５の頭部を取付け孔１８よりも十分に大径にしておくものとする。
【００２２】
以上に説明したように、本発明においては、箱本体側蝶番金具５の取付板部７に差し込み可能な扉保護部材１５を取付けたので、扉保護部材１５の取付け作業は簡単である。また扉２の取付時に扉２を箱本体１の蝶番３の上に一時的に置いた場合にも、扉２の側部１２を疵付くことのないように保護することができる利点がある。
【符号の説明】
【００２３】
１  箱本体
２  扉
３  蝶番
４  枠部
５  箱本体側蝶番金具
６  扉側蝶番金具
７  取付板部
８  立上げ部
９  蝶番管部
１０  ねじ孔
１１  蝶番ピン
１２  側部
１３  段部
１４  端面
１５  扉保護部材
１６  フック
１７  孔
１８  取付け孔
【図１】
2014212281.tif 000003
【図２】
2014212281.tif 000004
【図３】
2014212281.tif 000005
【図４】
2014212281.tif 000006
【図５】
2014212281.tif 000007
【図６】
2014212281.tif 000008
【図７】
2014212281.tif 000009
【図８】
2014212281.tif 000010
【図９】
2014212281.tif 000011